(57)【特許請求の範囲】
【請求項１】
透明性の合成樹脂製シールド板の左右両端部をヘルメット本体の左右両側外部に回動可能に支持してなるヘルメットにおいて、前記シールド板の左右両端部には、上方に開いた案内溝の下部に形成された円弧状の軸孔と、前記軸孔を取り囲む後部辺に形成されて前記ヘルメット本体に対する前記シールド板の開閉位置を定める複数の切り欠き部とを設け、前記ヘルメット本体の左右両側外部には、前記シールド板の軸孔に嵌合する円形状の軸部と、前記シールド板の複数の切り欠き部に弾性力によって嵌り合う係合部とを備えた左右一対の合成樹脂製支持部材を設け、前記支持部材には、前記シールド板の軸孔を取り囲む後部辺側の案内溝の側壁に対応して前記軸部の円形状部の一部が直線状に切り取られた形状のガイド部と、前記係合部の前方で前記ガイド部の上方にあって前記シールド板の軸孔を取り囲む後部辺の先端部内面に当接する凸部とを設け、前記案内溝に沿って前記ガイド部とこれに対応する前記軸部の円形状周面部が嵌り合う組み合わせによって、前記ガイド部と前記係合部との間隔に前記シールド板の軸孔を取り囲む後部辺上端部が挿通され、前記シールド板の軸孔を取り囲む後部辺の先端部が前記凸部に乗り上がった状態でこの嵌り合いの最終位置が前記シールド板の軸孔と前記支持部材の軸部とが嵌合し前記係合部が前記切り欠き部の一つに係合した状態となるシールド板開閉式ヘルメット。
【発明の詳細な説明】
【０００１】
【発明の属する技術分野】
本発明は、自動二輪車などに乗車する場合に使用されるシールド板開閉式ヘルメットに関する。
【０００２】
【従来の技術】
従来のヘルメットにおけるシールド板の開閉方式として、ヘルメット本体の外側シェルに取り付けた取り付け基材に形成した筒体部が、シールド板の側部に形成した円弧状ガイド溝に形成した全閉位置用保持孔部、全開位置用保持孔部、デフロスト位置用保持孔部に嵌り合う構成によって、ヘルメット本体に対してシールド板を全閉位置、デフロスト位置、全開位置と順次開閉できるものが、特開平１０−１６８６３８号に開示されている。この方式では、凹部と凸部が嵌る構成であるため、シェード板の開度を所定の状態に保持する構成としては簡単であるが、シェード板を僅かに開いて風は実質的に侵入しないが曇りは防止できる程度の開度に保持することには適さない。すなわち、この従来発明では、デフロスト位置は全閉位置に対して、図では約１０°が示され、実用性の見地からは６°〜１５°のうちの何れかが好ましく、８〜１３°のうちの何れかであるのが更に好ましいと記載されているように、デフロスト位置でのシェード板の開度は比較的大きい。
【０００３】
上記従来技術では、シェード板を透しての視界を広くする等のために、シェード板の回動中心軸からシェード板の前面下端までの長さは、一般的に１７０ｍｍ〜１８０ｍｍである。この場合、上記寸法が１７０ｍｍのシェード板において、６°〜１５°の開度の場合には、シェード板の前面下端とヘルメット本体との隙間は、１８ｍｍ〜４４ｍｍ程度となる。また、上記寸法が１８０ｍｍのシェード板において、６°〜１５°の開度の場合には、シェード板の前面下端とヘルメット本体との隙間は、１９ｍｍ〜４７ｍｍ程度となる。
【０００４】
【発明が解決しようとする課題】
このような開度になると、自動二輪車等に乗車している場合には、スピードが増すにしたがってその部分からの風の侵入が多くなって、このヘルメットを被っている人はその顔面に多くの風を感じ、冬季などでは冷たく感じあまり好ましくない。また、このような隙間形成によってこの部分や左右の隙間部分から雨が侵入する虞も十分考えられる。このように比較的大きな隙間ができるのは、上記従来技術では、取り付け基材に形成した筒体部が、シールド板の側部に形成した円弧状ガイド溝の全閉位置用保持孔部、全開位置用保持孔部、デフロスト位置用保持孔部に嵌り合う構成によって形成されているため、これら保持孔相互間隔をある程度から狭められないために生じる。
【０００５】
また、この従来技術のものは、シールド板の回動軸は、取り付け基材とネジ結合されるワッシャを支軸とする構成である。このように、シールド板の側部に形成した円弧状ガイド溝と取り付け基材に形成された筒体部との嵌合関係部分と、シールド板の回動軸の形成部分が別の部材の組み合わせになっているが、密接な両者の関係からすれば、前記嵌合関係部分とシールド板の回動軸とが単一部材で構成されていることが組立て誤差が生じないので望ましい。
【０００６】
本発明は、上記のような点に鑑みて、簡単な構成によってヘルメット本体に対してシールド板の開閉位置を複数角度に保持できるシールド板開閉式ヘルメットを提供するものである。そして、シールド板を安定的に保持できると共に支持部材に対して工具なしに容易に着脱できる技術手段を提供する。
【０００７】
【課題を解決するための手段】
本発明のシールド板開閉式ヘルメットは、透明性の合成樹脂製シールド板の左右両端部をヘルメット本体の左右両側外部に回動可能に支持してなるヘルメットにおいて、前記シールド板の左右両端部には、上方に開いた案内溝の下部に形成された円弧状の軸孔と、前記軸孔を取り囲む後部辺に形成されて前記ヘルメット本体に対する前記シールド板の開閉位置を定める複数の切り欠き部とを設け、前記ヘルメット本体の左右両側外部には、前記シールド板の軸孔に嵌合する円形状の軸部と、前記シールド板の複数の切り欠き部に弾性力によって嵌り合う係合部とを備えた左右一対の合成樹脂製支持部材を設け、前記支持部材には、前記シールド板の軸孔を取り囲む後部辺側の案内溝の側壁に対応して前記軸部の円形状部の一部が直線状に切り取られた形状のガイド部と、前記係合部の前方で前記ガイド部の上方にあって前記シールド板の軸孔を取り囲む後部辺の先端部内面に当接する凸部とを設け、前記案内溝に沿って前記ガイド部とこれに対応する前記軸部の円形状周面部が嵌り合う組み合わせによって、前記ガイド部と前記係合部との間隔に前記シールド板の軸孔を取り囲む後部辺の上端部が挿通され、この嵌り合いの最終位置において前記シールド板の軸孔を取り囲む後部辺の先端部が前記凸部に乗り上がった状態で前記シールド板の軸孔と前記支持部材の軸部とが嵌合し前記係合部が前記切り欠き部の一つに係合した状態となることを特徴とする。
【０００８】
このように、シールド板には、案内溝と、円弧状の軸孔と、シールド板の開閉位置を定める複数の切り欠き部とを設け、シールド板をヘルメット本体に支持する支持部材は、円形状の軸部と、係合部と、ガイド部と、凸部とを形成した単一の合成樹脂製とすることによって、部品点数が少なく組立てが簡単となる。また、シールド板のヘルメット本体への取り付けは、前記案内溝に沿って前記ガイド部とこれに対応する前記軸部の円形状部が嵌り合う組み合わせによって達成され、この嵌り合いの最終位置において、前記シールド板の軸孔を取り囲む後部辺の先端部の弾力性によって、前記シールド板の軸孔を取り囲む後部辺の先端部が前記凸部に乗り上がった状態で前記シールド板の軸孔の全体と前記支持部材の軸部との嵌合状態となるため、シールド板を回動可能に安定的に支持する状態となる。更に、シールド板を安定的に保持できると共に、前記支持部材に対して工具なしに容易に着脱できる。
【０００９】
なお、シールド板の曇り防止効果が奏される範囲においてヘルメット本体との隙間をできるだけ少なくして、シールド板を全閉、全開、若干開いた空気導入位置と、更に僅かに開いた曇り防止位置とをとることができるようにするために、透明性の合成樹脂製シールド板の左右両端部をヘルメット本体の左右両側外部に回動可能に支持してなるヘルメットにおいて、前記シールド板の左右両端部には、上方に開いた案内溝の下部に形成された円弧状の軸孔と、前記軸孔を取り囲む後部辺に形成されて前記ヘルメット本体に対する前記シールド板の開閉位置を定める複数の切り欠き部とを設け、前記ヘルメット本体の左右両側外部には、前記シールド板の軸孔に嵌合する円形状の軸部と、前記シールド板の複数の切り欠き部に弾性力によって嵌り合う係合部とを備えた左右一対の合成樹脂製支持部材を設け、前記切り欠き部は少なくとも前記シールド板の全閉位置用切り欠き部と風導入用に少し開いた位置用切り欠き部と全開位置用切り欠き部とを定め、前記係合部には前記全閉位置用切り欠き部と前記少し開いた位置用切り欠き部間の凸部が嵌る凹部を設け、前記凸部と前記凹部との嵌り合いによって前記シールド板が前記少し開いた位置よりも更に少なく開いた曇り防止位置をとるように構成することができる。
【００１０】
これによって、簡単な構成によってヘルメット本体に対してシールド板の開閉位置を複数角度に保持できるシールド板開閉式ヘルメットを提供でき、シールド板を全閉、全開、小さく開いた空気導入位置と、更に僅かに開いた曇り防止位置とをとることができる。小さく開いた風導入位置では、シールト板の内側に侵入した空気によってシールド板の曇り防止効果が得られるが、温暖な季節条件ではヘルメット着用者は顔面に少し風を受けても気持ちよく感じるのに対して、気温が低い季節では寒さによって不快感を覚える。しかし、本発明では、小さく開いた風導入位置よりも更に狭い僅かな開度で以って開くことによって、小さく開いた風導入位置の場合よりもはるかに少ない空気の流通とし、これによって、ヘルメット着用者に対し、侵入する空気による不快感を少なくし、且つ、シールド板の曇り防止効果が得られる程度の開度である。
【００１１】
【発明の実施の形態】
次に、本願発明の実施の形態について説明する。図１乃至図１２は本発明の実施形態を示す。図１は本発明シールド板開閉式ヘルメットのシールド板開閉状態説明用斜視図、図２は支持部材に対してシールド板の左右両端部を対応させた状態の説明図、図３は支持部材とシールド板の第１の組み合わせ途中の状態の説明図、図４は支持部材とシールド板の第２の組み合わせ途中の状態の説明図、図５は支持部材とシールド板の組み合わせ最終状態の説明図、図６は係合部の凹部と切り欠き部間の凸部との係合状態説明図、図７は支持部材とシールド板の組み合わせ部を外側から見た分解斜視図、図８は支持部材とシールド板の組み合わせ部を内側から見た分解斜視図、図９はヘルメット本体に対するシールド板の全閉状態の右側面説明図、図１０はヘルメット本体に対するシールド板の全開状態の右側面説明図、図１１はヘルメット本体に対するシールド板の少し開いた状態の右側面説明図、図１２はヘルメ１ット本体に対するシールド板の僅かに開いた状態の右側面説明図である。
【００１２】
以下、図に基づいて本発明の実施形態を説明する。本発明のシールド板開閉式ヘルメット１は、透明性の合成樹脂製シールド板３の左右両端部をヘルメット本体２の左右両側外部に回動可能に支持してシールド板３によってヘルメット本体２の前面開口２０を開閉するヘルメット１において、前記シールド板３の左右両端部には、上方に開いた案内溝４の下部に形成された円弧状の軸孔５と、前記軸孔５を取り囲む後部辺６に円弧状配置で形成されて前記ヘルメット本体２に対する前記シールド板３の開閉位置を定める複数の切り欠き部７Ａ、７Ｂ、７Ｃとを設け、前記ヘルメット本体２の左右両側外部には、前記シールド板３の軸孔５に嵌合する円形状の軸部８と、前記シールド板３の複数の切り欠き部７Ａ、７Ｂ、７Ｃに弾性力によって嵌り合う係合部９とを備えた左右一対の合成樹脂製支持部材１２を設ける。支持部材１２はヘルメット本体２の左右側面に後述のように取り付け孔１６、１７を介して取り付けネジ１６Ａ、１７Ａによって固定され、シールド板３の左右両端部は、支持部材１２の外側面に対応する。係合部９は、支持部材１２の一部に弾力性が得られるように伸びている腕２１の先に短い円筒状に形成されている。
【００１３】
前記支持部材１２には、前記シールド板３の軸孔５を取り囲む後部辺６側の案内溝４の側壁４Ａに対応して前記軸部８の円形状部の一部が直線状に切り取られた形状のガイド部１０と、前記係合部９の前方で前記ガイド部１０の上方にあって前記シールド板３の軸孔５を取り囲む後部辺６の先端部内面に当接する凸部１１とを設け、前記案内溝４に沿って前記ガイド部１０とこれに対応する前記軸部８の円形状部が嵌り合う組み合わせによって、前記ガイド部１０と前記係合部９との間隔に前記シールド板３の軸孔５を取り囲む後部辺６の上端部が挿通され、この嵌り合いの最終位置において前記シールド板３の軸孔５を取り囲む後部辺６の先端部が前記凸部１１に乗り上がった状態で前記シールド板３の軸孔５の全体と前記支持部材の軸部８との嵌合状態となり、前記係合部９が前記切り欠き部の一つに係合する。
【００１４】
このように、シールド板３には、案内溝４と、円弧状の軸孔５と、シールド板３の開閉位置を定める複数の切り欠き部とを設け、シールド板３をヘルメット本体に支持する支持部材は、円形状の軸部８と、係合部９と、ガイド部１０と、凸部１１とを形成した単一の合成樹脂製とすることによって、部品点数が少なく組立てが簡単となる。また、シールド板３のヘルメット本体への取り付けは、前記案内溝４に沿って前記ガイド部１０とこれに対応する前記軸部８の円形状部が嵌り合う組み合わせによって達成され、この嵌り合いの最終位置において、前記シールド板３の軸孔５を取り囲む後部辺６の先端部の弾力性によって、前記シールド板３の軸孔５を取り囲む後部辺６の先端部が前記凸部１１に乗り上がった状態で前記シールド板３の軸孔５の全体と前記支持部材の軸部８との嵌合状態となるため、シールド板３を回動可能に安定的に支持する状態となる。
【００１５】
これを更に詳細に説明すると、本発明のシールド板開閉式ヘルメット１では、前記ガイド部１０は、前記軸部８の円形状部のうち、前記シールド板３の軸孔５を取り囲む後部辺６側の案内溝４の側壁４Ａに対応する側の外側８Ａを残してその内側が直線状に切り取られた形状をなし、軸部８のこの残された部分８Ａの内側面１３がガイド部１０の外方に位置する。前記案内溝４に沿って前記ガイド部１０とこれに対応する前記軸部８の円形状周面の前部が嵌り合うとき、前記シールド板３の軸孔５を取り囲む後部辺６の先端部が前記凸部１１に乗り上がった状態で前記シールド板３の軸孔５を取り囲む後部辺６が弾性変形して前記軸部８の円形状部の残された部分８Ａの内側面１３と前記シールド板３の軸孔５を取り囲む後部辺６とが接触し、前記嵌り合いの最終位置において、前記シールド板３の軸孔５を取り囲む後部辺６の弾性復帰にて前記シールド板３の軸孔５の全体と前記支持部材の軸部８との嵌合状態となり、また係合部９が切り欠き７Ａに弾力性によって係合する。これによって、前記シールド板３の軸孔５の全体と前記支持部材の軸部８との嵌合状態ができ、前記シールド板３の回動が安定する。このような嵌り合いを達成するために、図２に示すように、案内溝４の中央線と軸孔５の中心とは、若干ずれた状態（図２のＧで示す）である。
【００１６】
また、本願発明のシールド板開閉式ヘルメットは、透明性の合成樹脂製シールド板３の左右両端部をヘルメット本体２の左右両側外部に回動可能に支持してなるヘルメット１において、前記シールド板３の左右両端部には、上方に開いた案内溝４の下部に形成された円弧状の軸孔５と、前記軸孔５を取り囲む後部辺６に形成されて前記ヘルメット本体２に対する前記シールド板３の開閉位置を定める複数の切り欠き部７Ａ、７Ｂ、７Ｃとを設け、前記ヘルメット本体２の左右両側外部には、前記シールド板３の軸孔５に嵌合する円形状の軸部８と、前記シールド板３の複数の切り欠き部７Ａ、７Ｂ、７Ｃに弾性力によって嵌り合う係合部９とを備えた左右一対の合成樹脂製支持部材を設け、前記切り欠き部７Ａ、７Ｂ、７Ｃは、少なくとも前記シールド板３の全閉位置用切り欠き部７Ｂと若干開いた位置用切り欠き部７Ｃと全開位置用切り欠き部７Ａとを定め、前記係合部９には前記全閉位置用切り欠き部７Ｂと若干開いた位置用切り欠き部７Ｃ間の凸部１４が嵌る凹部１５を設け、前記凸部１４と前記凹部１５との嵌り合いによって、前記シールド板３が前記若干開いた位置よりも更に少なく僅かに開いた曇り防止位置をとる。
【００１７】
シールド板の曇り防止のためには、シールド板３を曇り防止効果が得られる範囲でできるだけ小さく開くのが好ましい。原理的には、シールド板に曇り防止用の小孔を複数あけて、シールド板の全閉位置においてこの小孔を通してシールド板の内外間で僅かな空気の流通状態とすることによって目的を達成できるが、この小孔が視界の邪魔になったり、多くの雨をシールド板の正面に受けるとこの小孔からシールド板の内側に雨が侵入してシールド板の透視効果が損なわれたり、この小孔に埃が入ってその部分が汚れる等の問題があり、良好な曇り防止効果を得るには、この小孔の位置や大きさの設定が難しい。このため、本発明では、小孔を複数明ける方式ではなく、係合部９が複数の切り欠き部７Ａ、７Ｂ、７Ｃに弾性力によって嵌り合う機構において、より小さな開度が得られる方式を提供するものである。
【００１８】
通常のフルフェースヘルメットにおいては、シールド板の曇り防止のみならず使用者の涼しさ、息苦しさ、開放感等の心理的要因からもシールド板を少し開く状態は必要である。しかし、前記従来技術の方式では、前述のように、デフロスト位置でも比較的大きく開くようになる。本発明における前記小さく開いた風導入位置、及び前記僅かに開いた曇り防止位置は、通常、走行速度が約６０ｋｍ／時間よりも低速走行時に使用されるものであり、これ以上の走行速度では、風の巻き込み、風切り騒音、風圧、目の乾燥等によって使用に耐えられなくなることも考えられる。約６０ｋｍ／時間以下の走行速度において、走行パターンがどのようになるかによってこのような小開度の好ましい値も変わってくる。ゴー、ストップの多い市街地では低速走行となり、気温が高い場合等では、比較的大きな開度が求められるし、信号の少ない場所を一定速度で走行する場合には、比較的小さな開度が求められる。
【００１９】
このような条件を考慮して、本発明では、実用的見地から、ヘルメット本体２に対するシールド板３の小さく開く開度を、前記従来技術のものよりも更に小さい開度が簡単な構成によって容易に達成できる構成としている。実施形態では、２段階、即ち、前記小さく開いた風導入位置と前記僅かに開いた曇り防止位置とが選択できるようにしており、前記全開位置の開度を４５°〜５５°とし、前記小さく開いた風導入位置を６°〜１２°とし、前記僅かに開いた曇り防止位置を２°〜６°とした。必ずしもこの値に限定されるわけではなく、この値が前後してもよいが、この範囲において、実用的なヘルメットが提供でき、特に、前記僅かに開いた曇り防止位置を２°程度に小さくすることが簡単な構成によって達成できるものである。
【００２０】
本発明の構成において、シールド板３の着脱方法について詳しく説明する。図２は支持部材１２に対してシールド板３の左右両端部を対応させた状態である。前記案内溝４の幅Ｈに対して，前記ガイド部１０とこれに対応する前記軸部８の円形状部との間隔Ｐが同一又は僅かに小さい。又、ガイド部１０の延長線上での係合部９とガイド部１０との間隔Ｌに対して、前記シールド板３の軸孔５を取り囲む後部辺６の上端部６Ａの幅Ｒが僅かに小さい。支持部材１２には、シールド板３の軸孔５を取り囲む後部辺６が対面する外面に平らな窪み部２５が支持部材１２を肉薄にして形成している。この関係でもって窪み部２５に後部辺６が対面し、図３のように相対的に案内溝４の一側に沿ってガイド部１０がスライドし、このスライドによって両者の嵌り合いが更に進行して図４のように、前記シールド板３の軸孔５を取り囲む後部辺６の上端部６Ａが係合部９の付近を通り、上端部６Ａの先端の内側面に形成した傾斜面２７が前記凸部１１に接触し、上端部６Ａが前記凸部１１に乗り上がった状態となる。この状態で、前記シールド板３の軸孔５を取り囲む後部辺６の上端部６Ａは、この凸部１１によって外側へ押され、軸孔５を取り囲む後部辺６の弾力性によってこの凸部１１を押圧した状態である。図３及び図４の状態では、前記シールド板３の軸孔５を取り囲む後部辺６側の案内溝４の側壁４Ａ下部の軸孔５部分は、軸部８のガイド部１０の切り取りで残された部分８Ａの内側面１３に対応した位置にあり、図４の状態においては、上記のように上端部６Ａが凸部１１によって外側へ押されたことによって案内溝４の側壁４Ａ下部の軸孔５部分はこの内側面１３を押圧した状態となる。これによって、軸孔５を取り囲む後部辺６は凸部１１によって外側へ反り、弾力性による反発力が蓄えられた状態である。
【００２１】
図４の状態から更に両者の嵌り合いが進行し、案内溝４の側壁４Ａ下部の軸孔５部分が軸部８のガイド部１０の切り取りで残された部分８Ａの内側面１３を外れたとき、上記蓄えられていた反発力の支えが解除されるため、その復元力によって、図５のように、案内溝４の側壁４Ａの下部が軸部８のガイド部１０の切り取りで残された部分８Ａの周面方向へ移動し、軸部８のうちガイド部１０の切り取りで残された部分８Ａの周面と軸部８のその他の周面に軸孔５の周面全体がガタツキがない状態に嵌り合う。これと共に係合部９が形成されている支持部材から伸びている腕の弾力性によって第１の切り欠き部７Ａに嵌り合う。このような嵌り合いは、この状態が最終の嵌り合い状態である。
【００２２】
シールド板３が破損した場合等において支持部材１２から取り外す場合には、上記の組み合わせとは逆に、案内溝４の側壁４Ａ下部の軸孔５周面部分が、ガイド部１０の切り取りで残された部分８Ａの周面の内側に外れるように、支持部材１２とシールド板３間の組み合わせ解除の操作をし、この外れた状態で支持部材１２とシールド板３とを上記組み合わせとは逆に相互に外れる方向にスライドさせることによって、シールド板３は支持部材１２から外れる。この場合、案内溝４の側壁４Ａ下部と軸孔５周面部分との交差部の外側面には、傾斜面２８が形成されており、案内溝４の側壁４Ａ下部の軸孔５周面部分が、ガイド部１０の切り取りで残された部分８Ａの周面の内側に外れる際の引っ掛かり抵抗を少なくして、外し易くしている。
【００２３】
上記の最終嵌り合い状態において、シールド板３は軸部８の周りに回動可能である。この回動範囲は、ヘルメット本体２に対して全閉状態Ｓ１から全開状態Ｓ４までであり、係合部９が第１の切り欠き部７Ａに嵌り合った状態がヘルメット本体２の窓に対してシールド板３の全開状態Ｓ４である。そして、係合部９が第２の切り欠き部７Ｂに嵌り合った状態がヘルメット本体２の窓に対してシールド板３の全閉状態Ｓ１である。例えば、全開状態Ｓ４から係合部９の弾力性に抗してシールド板３を軸部８の周りに回動させると、係合部９は軸孔５を取り囲む後部辺６の円弧状部２６に乗り上がり、円弧状部２６を摺動して次の切り欠き部７Ｃへその弾力性によって嵌る。ヘルメットを着用している人がシールド板３を少し開いて周囲から空気を取り入れたいと思う場合には、全閉状態Ｓ１の切り欠き部７Ｂの隣に形成した第３の切り欠き部７Ｃに係合部９が嵌り合うことによってそれが達成される。
【００２４】
この第３の切り欠き部７Ｃに係合部９が嵌り合った状態は、小さく開いた風導入位置Ｓ３であり、上記のように、シールド板３の開度は６°〜１２°である。シールド板３の回動中心からシールド板３の前面下端までの長さが１７２ｍｍのシールド板３では、６°の開度の場合には、シールド板３の前面下端とヘルメット本体２との隙間は、約１８ｍｍであり、１２°の開度の場合には、シールド板３の前面下端とヘルメット本体２との隙間は、約３６ｍｍである。
【００２５】
本発明では、シールド板３の曇りを防止できる範囲でこの小さく開いた風導入位置Ｓ３よりも更に狭く開く手段に特徴がある。即ち、第２の切り欠き部７Ｂの端に形成された凸部１４が嵌る凹部１５を係合部９に形成している。実施形態では、第２の切り欠き部７Ｂと第３の切り欠き部７Ｃとの間に凸部１４が形成され、これに嵌る凹部１５を係合部９に形成している。この構成によって、シールド板３を軸部の周りに回動させると、係合部９はその弾力性によって嵌っていた切り欠き部から外れ、第３の切り欠き部７Ｃに係合部９が嵌り合った開度よりも更に狭い開度で以ってシールド板３を開くことができるため、シールド板３を僅かに開いた曇り防止用空気流通開度状態Ｓ２が形成できる。この僅かに開いた空気流通位置Ｓ２では、上記のように、２°〜６°の開度とした。これは、第３の切り欠き部７Ｃによる開度の略半分又はそれ以下の開度が得られる。このように、小さく開いた風導入位置Ｓ３よりも更に狭い僅かな開度で以って開くことによって、小さく開いた風導入位置Ｓ３の場合よりも遥かに少ない空気の流通とし、これは、ヘルメット着用者が侵入する空気による不快感を覚えない程度であり、しかもシールド板の曇り防止効果が得られる程度の開度である。
【００２６】
係合部９を小さくしてこれが嵌る切り欠きを小さくすれば、細かな開度を形成できるが、これらが小さきなるほど強度維持が困難となり、問題である。しかし本発明では、係合部９とこれが嵌る切り欠きは強度維持上で十分大きくしても、細かな開度が形成できるため、このような問題も解決できる点で効果がある。このため、従来技術の特開平１０−１６８６３８号よりも更に小さい開度が得られるため、本発明では、この従来技術では達成できなかった技術手段で以ってこの従来技術では奏し得なかった効果を奏することができるものである。
【００２７】
本発明では、支持部材１２とシールド板３の係合関係を安定的にできるようにするために、軸部８の外側端には、フランジ１８が形成され、これによって、シールド板３の軸孔５周辺部が軸部８から外れないように作用する。また、係合部９と軸孔５を取り囲む後部辺６とが外れないように両社の係合保持のために、係合部９の外側端部にはフランジ１９が形成されている。
【００２８】
支持部材１２は、軸孔５を取り囲む後部辺６が支持部材１２の外面に位置する状態において、ヘルメット本体２に対して取り付け孔１６、１７を介して取り付けネジ１６Ａ、１７Ａによって固定する。シールド板３と支持部材１２との組み合わせは、このネジ１６Ａ、１７Ａで固定する前に行われ、これらの組み合わせた状態でこのネジ１６Ａ、１７Ａによって固定する。またシールド板３を支持部材１２から取り外す場合には、このネジ１６Ａ、１７Ａを外した状態で、上記の操作によって取り外すこともできるが、通常は、このネジ１６Ａ、１７Ａを外さない状態で行うことができる。即ち、このネジ１６Ａ、１７Ａを外さずに、シールド板３を全開状態にし、上記のような支持部材１２に対するシールド板３の取り付けスライド方向とは逆方向にシールド板を強く引っ張ることによって、シールド板３は支持部材１２から外れる。そして、再度シールド板３を取付ける場合には、ヘルメット本体２に支持部材１２が固定された状態で、図２乃至図５に基づき説明したように、支持部材１２に対してシールド板３をスライドさせつつ前記最終嵌り合い状態にまで組み合わせることによって達成できる。このように、支持部材１２をヘルメット本体２に一旦位置決め固定した後は、取り付けネジ１６Ａ、１７Ａを外さずに、シールド板３の取り付け及び取り外しが可能となる。
【００２９】
本発明は、上記実施形態に限定されず、本発明の技術的範囲を逸脱しないかぎり種種の変更が考えられ、それに係る種種の実施形態を包含するものである。
【００３０】
【発明の効果】
第１請求項の発明では、シールド板には、案内溝と、円弧状の軸孔と、シールド板の開閉位置を定める複数の切り欠き部とを設け、シールド板をヘルメット本体に支持する支持部材は、円形状の軸部と、係合部と、ガイド部と、凸部とを形成した単一の合成樹脂製とすることによって、部品点数が少なく組立て上では誤差が生じなく簡単となる。また、シールド板のヘルメット本体への取り付けは、前記案内溝に沿って前記ガイド部とこれに対応する前記軸部の円形状部が嵌り合う組み合わせによって達成され、この嵌り合いの最終位置において、前記シールド板の軸孔を取り囲む後部辺の先端部の弾力性によって、前記シールド板の軸孔を取り囲む後部辺の先端部が前記凸部に乗り上がった状態で前記シールド板の軸孔と前記支持部材の軸部との嵌合状態となるため、シールド板を回動可能に安定的に支持する状態となる。更に、シールド板を安定的に保持できると共に前記支持部材との関係では工具なしに容易に着脱できる。
【図面の簡単な説明】
【図１】本発明シールド板開閉式ヘルメットにおけるシールド板開閉状態説明用斜視図である。
【図２】本発明のヘルメットにおけるシールド板の左右両端部を対応させた状態の説明図である。
【図３】本発明のヘルメットにおける支持部材とシールド板の第１の組み合わせ途中の状態の説明図である。
【図４】本発明のヘルメットにおける支持部材とシールド板の第２の組み合わせ途中の状態の説明図である。
【図５】本発明のヘルメットにおける支持部材とシールド板の組み合わせ最終状態の説明図である。
【図６】本発明のヘルメットにおける係合部の凹部と切り欠き部間の凸部との係合状態説明図である。
【図７】本発明のヘルメットにおける支持部材とシールド板の組み合わせ部を外側から見た分解斜視図である。
【図８】本発明のヘルメットにおける支持部材とシールド板の組み合わせ部を内側から見た分解斜視図である。
【図９】本発明のヘルメットにおけるヘルメット本体に対するシールド板の全閉状態の右側面説明図である。
【図１０】本発明のヘルメットにおけるヘルメット本体に対するシールド板の全開状態の右側面説明図である。
【図１１】本発明のヘルメットにおけるヘルメット本体に対するシールド板の少し開いた状態の右側面説明図である。
【図１２】本発明のヘルメットにおけるヘルメット本体に対するシールド板の僅かに開いた状態の右側面説明図である。
【符号の説明】
１……シールド板開閉式ヘルメット
２……ヘルメット本体
３……シールド板
４……案内溝
５……軸孔
６……軸孔を取り囲む後部辺
７Ａ、７Ｂ，７Ｃ……切り欠き部
８……軸部
８Ａ…軸部の残された部分
９……係合部
１０…ガイド部
１１…凸部
１３…内側面
１４…凸部
１５…凹部
【図１】
0003593073.tif 000002
【図２】
0003593073.tif 000003
【図３】
0003593073.tif 000004
【図４】
0003593073.tif 000005
【図５】
0003593073.tif 000006
【図６】
0003593073.tif 000007
【図７】
0003593073.tif 000008
【図８】
0003593073.tif 000009
【図９】
0003593073.tif 000010
【図１０】
0003593073.tif 000011
【図１１】
0003593073.tif 000012
【図１２】
0003593073.tif 000013